(57)【要約】【課題】簡易な構造かつ低コストでランプユニットの熱を放熱し、光源の輝度の低下を抑制した密閉構造の表示灯を提供する。【解決手段】光源を有したランプユニット３と、光源からの光が照射される表示パネル２と、ランプユニット３と表示パネル２とを保持する器具本体１と、天井８に固定され、下面に器具本体１を保持する器具施工用部材４と、透光性の材質で上面が開口した矩形箱状に形成され、開口周縁が器具施工用部材４に設けられた密閉用パッキン６に当接するように器具本体１を覆って密閉するケース５とを備え、密閉用パッキン６に設けられた放熱片６ｂがランプユニット３の上面と器具施工用部材４の上面と当接し、放熱片６ｂがランプユニット３が発生する熱を器具施工用部材４に放熱する。【選択図】図１
2011133573.tif 000002
【特許請求の範囲】
【請求項１】
光源を有したランプユニットと、光源からの光が照射される表示パネルと、ランプユニットと表示パネルとを保持する器具本体と、施工面に固定され、一面に器具本体を保持する器具施工用部材と、透光性の材質で一面が開口した矩形箱状に形成され、当該開口と施工面とが対向するように器具本体を覆うケースとを備え、
前記ランプユニットと前記器具施工用部材との両方に当接する放熱部材を設け、当該放熱部材はランプユニットが発生する熱を、器具施工用部材に放熱することを特徴とする表示灯。
【請求項２】
前記器具施工用部材の一面と前記ケースの開口周縁との間に密閉用パッキンが設けられ、前記放熱部材は、当該密閉用パッキンであることを特徴とする請求項１記載の表示灯。
【請求項３】
前記放熱部材は、前記施工用部材の一面側に設けられたバネ部であり、当該バネ部は、前記ランプユニットに弾性付勢することを特徴とする請求項１記載の表示灯。
【発明の詳細な説明】
【技術分野】
【０００１】
本発明は、表示灯に関するものである。
【背景技術】
【０００２】
従来、所定の図形や記号などが記載された表示パネルと、表示パネルを背後から照らす光源を有したランプユニットと、表示パネルおよびランプユニットを保持する器具本体を備え、誘導灯などに用いられる表示灯が提供されている（例えば、特許文献１）。
【０００３】
図３に従来の表示灯の外観斜視図を示す。従来の表示灯は、矩形箱状に形成された器具本体１の前面に表示パネル２が配置されている。表示パネル２は、光を透過するアクリル等で板状に形成されており、所定の図形や記号が記載されている。また、表示パネル２の上端に沿って、直方体に形成されたランプユニット３が配置されている。ランプユニット３は、内部にＬＥＤや蛍光管などの光源を備えている。そして、器具本体１の内部において、表示パネル２の後部に導光板（図示なし）が配置されている。導光板は、ランプユニット３に設けられた光源からの光を反射して、表示パネル２に光を後面から照射する。そして、表示パネル２とランプユニット３とを前面に保持した器具本体１は、ステンレス等で板状に形成された器具施工用部材４に、ネジ４１で取り付けられる。
【０００４】
また、図４に示すように、器具本体１をケース５で覆って密閉した密閉構造の表示灯も提供されている。ケース５は、アクリル等の透光性を有する材質で、上面が開口した矩形箱状に形成されている。また、器具施工用部材４の下面には、矩形枠状に形成された密閉用パッキン６０が設けられている。そして、ケース５で器具本体１を下方からを覆い、ケース５の上端周縁が密閉用パッキン６０と当接する。また、ケース５の側面上部には、金具（図示なし）が複数設けられており、金具を施工用部材４にネジ等で固定することによって、施工用部材４にケース５が保持されると共に、ケース５の上端周縁と密閉用パッキン６０とが密着する。それによって、器具本体１が密閉されることで防水できるので、表示灯を屋外で使用することができる。
【先行技術文献】
【特許文献】
【０００５】
【特許文献１】特開２００９−３３３９号公報
【発明の概要】
【発明が解決しようとする課題】
【０００６】
しかし、図４に示した密閉構造の表示灯は、表示パネル２とランプユニット３とを保持した器具本体１をケース５で覆って密閉しているため、ケース５内の温度が上昇しやすかった。例えば、ランプユニット３に備えられた光源が熱を発生し、発生した熱がケース５内部に蓄積されるため、ケース５内が高温になるおそれがあった。そして、ケース５内が高温になることによって、光源の輝度が低下する問題が生じていた。そのため、ケース５を備えていない非密閉構造の表示灯に比べて、密閉構造の表示灯の輝度は低下するおそれがあり、非密閉構造の表示灯と同等の輝度を実現するのは困難であった。
【０００７】
また、図示しない放熱手段を備えたランプユニット３を用いることで、上記問題を解決することができるが、放熱手段を備えたランプユニット３は構造が複雑となりコストが高くなる問題があった。さらに、密閉構造の表示灯と非密閉構造の表示灯とで、ランプユニット３を共通化することができず、コストが高くなる問題があった。
【０００８】
本発明は、上記事由に鑑みてなされたものであり、その目的は、簡易な構造かつ低コストでランプユニットの熱を放熱し、光源の輝度の低下を抑制した密閉構造の表示灯を提供することにある。
【課題を解決するための手段】
【０００９】
請求項１の発明は、光源を有したランプユニットと、光源からの光が照射される表示パネルと、ランプユニットと表示パネルとを保持する器具本体と、施工面に固定され、一面に器具本体を保持する器具施工用部材と、透光性の材質で一面が開口した矩形箱状に形成され、当該開口と施工面とが対向するように器具本体を覆うケースとを備え、前記ランプユニットと前記器具施工用部材との両方に当接する放熱部材を設け、当該放熱部材はランプユニットが発生する熱を、器具施工用部材に放熱することを特徴とする。
【００１０】
この発明によれば、ランプユニットと器具施工用部材との両方にに当接する放熱部材が、ランプユニットから発生する熱を器具施工用部材に放熱するので、ケース内の温度の上昇を抑制することができる。それによって、簡易な構造かつ低コストで高温による光源の輝度の低下を抑制することができる。
【００１１】
また、放熱手段を具備していないランプユニットを用いることができるので、密閉構造の表示灯と非密閉構造の表示灯とで、ランプユニットを共通化することができ、コストを低減させることができる。
【００１２】
請求項２の発明は、請求項１の発明において、前記器具施工用部材の一面と前記ケースの開口周縁との間に密閉用パッキンが設けられ、前記放熱部材は、当該密閉用パッキンであることを特徴とする。
【００１３】
この発明によれば、密閉用パッキンは柔軟性が高く、ランプユニットおよび器具施工用部材と密着させることができるので、より放熱性を向上させることができる。また、別部材として放熱部材を設ける必要がないので、コストを低減させることができる。
【００１４】
請求項３の発明は、請求項１の発明において、前記放熱部材は、前記施工用部材の一面側に設けられたバネ部であり、当該バネ部は、前記ランプユニットに弾性付勢することを特徴とする。
【００１５】
この発明によれば、器具施工用部材に設けられたバネ部がランプユニットに弾性付勢することによって、放熱面積が増加し、より確実に放熱することができる。
【発明の効果】
【００１６】
以上説明したように、本発明では、簡易な構造でランプユニットの熱を放熱し、密閉構造であっても光源の輝度の低下を抑制することができるという効果がある。
【図面の簡単な説明】
【００１７】
【図１】本発明の実施形態１の表示灯の側方断面図である。
【図２】同上の実施形態２の表示灯の前方断面図である。
【図３】従来の非密閉構造の表示灯の外観斜視図である。
【図４】従来の密閉構造の表示灯の外観斜視図である。
【発明を実施するための形態】
【００１８】
以下、本発明の実施の形態を図面に基づいて説明する。
【００１９】
（実施形態１）
本発明の実施形態１の表示灯は、表示パネル２とランプユニット３とを保持する器具本体１と、天井８に固定され、器具本体１を保持する器具施工用部材４と、器具本体１を覆うケース５とからなる密閉構造の表示灯である。図４に示した従来の密閉構造の表示灯と同一構造には、同一符号を付して説明は省略する。
【００２０】
図１に防水パッキン７を介して天井８に取り付けられた、本実施形態の表示灯の側方からの一部断面図を示す。
【００２１】
本実施形態の密閉用パッキン６は、従来の密閉用パッキン６０と形状が異なる。本実施形態の密閉用パッキン６は、密閉片６ａと放熱片６ｂとで構成されている。密閉片６ａは、矩形枠状に形成され、ケース５の開口周縁と器具施工用部材４の下面と当接することでケース５内を密閉する。放熱片６ｂは、密閉片６ａの一方の長辺が、内側に延設して形成されており、密閉片６ａに比べて肉厚に形成されている。そして、図１に示すように、器具施工用部材４に器具本体１とケース５を取り付けた状態において、放熱片６ｂは器具施工用部材４とランプユニット３との隙間を埋めるように配置される。そして、放熱片６ｂは、器具施工用部材４の下面とランプユニット３の上面との両方に当接している。
【００２２】
密閉用パッキン６はシリコンゴムやＥＰＴゴムなどで形成されており、熱伝導率は０．１５〜０．２（Ｗ／ｍ・Ｋ）程度となる。また、従来の表示灯では、器具施工用部材４とランプユニット３との間には隙間が形成されており、空気の熱伝導率（乾燥状態で気温０℃）は０．０２４１（Ｗ／ｍ・Ｋ）となる。したがって、密閉用パッキン６は、空気に対して６倍以上の熱伝導率を有していることとなる。
【００２３】
上記の構成で、ランプユニット３に備えられた光源から発生する熱を、密閉用パッキン６の放熱片６ｂ（放熱部材）が、ステンレス等で形成された器具施工用部材４に放熱する。それによって、ケース５によって密閉され、ケース５内の温度が上昇しやすい環境でも、光源から発生する熱を器具施工用部材４に放熱することで、光源の温度上昇が抑制される。それによって、高温による光源の輝度の低下を抑制することができる。したがって、ケース５を備えていない非密閉構造の表示灯と同等の輝度を実現することができる。
【００２４】
また、密閉用パッキン６に放熱片６ａを設けるのみで、別部材として放熱部材を設ける必要がないので、構造を簡易化することができ、コストを低減させることができる。
【００２５】
また、密閉用パッキン６は、ゴムで形成されているため柔軟性が高く、器具施工用部材４とランプユニット３とに密着させることができ、より放熱性を高めることができる。
【００２６】
また、本実施形態の密閉用パッキン６を用いることによって、放熱手段を具備していないランプユニット３でも、密閉構造の表示灯に用いることができるので、さらなる構造の簡易化およびコストの低減をはかることができる。
【００２７】
（実施形態２）
本発明の実施形態２の表示灯は、表示パネル２とランプユニット３とを保持する器具本体１と、器具本体１が取り付けられる器具施工用部材４０と、器具本体１を覆うケース５とからなる密閉構造の表示灯である。図４に示した従来の密閉構造の表示灯と同一構造には、同一符号を付して説明は省略する。
【００２８】
図２に防水パッキン７を介して天井８に取り付けられた、本実施形態の表示灯の前方からの一部断面図を示す。
【００２９】
本実施形態の器具施工用部材４０は、従来の器具施工用部材４と形状が異なる。本実施形態の器具施工用部材４０は、ランプユニット３の上方において、切り起こしでバネ部９が形成されている。バネ部９は、器具施工用部材４０と略平行に形成された第１の片９ａと、第１の片９ａと器具施工用部材４とを連続させる第２の片９ｂとで略Ｌ字状に形成されている。そして、バネ部９は弾性を有しており、第２の片９ｂが上下方向に撓むことによって、第１の片９ａがランプユニット３に弾性付勢され、第１の片９ａの下面とランプユニット３の上面とが接触する放熱面積が増加する。
【００３０】
また、器具施工用部材４０およびバネ部９はステンレスで形成されており、熱伝導率は１６．７〜２６．０（Ｗ／ｍ・Ｋ）程度となる。また、図４に示した従来の表示灯では、器具施工用部材４とランプユニット３との間には隙間が形成されており、空気の熱伝導率（乾燥状態で気温０℃）は０．０２４１（Ｗ／ｍ・Ｋ）となる。したがって、バネ部９は、空気に対して６００倍以上の熱伝導率を有していることとなる。
【００３１】
上記の構成で、ランプユニット３に備えられた光源から発生する熱は、バネ部９（放熱部材）を介して器具施工用部材４０に放熱される。それによって、ケース５によって密閉され、ケース５内の温度が上昇しやすい環境でも、光源から発生する熱を器具施工用部材４に放熱することで、光源の温度上昇が抑制される。それによって、高温による光源の輝度の低下を抑制することができる。したがって、ケース５を備えていない非密閉構造の表示灯と同等の輝度を実現することができる。
【００３２】
また、器具施工用部材４０に切り起こしでバネ部９を形成しているため、放熱部材として別部材を設ける必要がないので、構造を簡易化することができ、コストを低減させることができる。
【００３３】
また、バネ部９はランプユニット３に弾性付勢するので、放熱面積が増加し、より放熱性を高めることができる。
【００３４】
また、本実施形態のバネ部９が形成された器具施工用部材４０を用いることによって、放熱手段を具備していないランプユニット３でも、密閉構造の表示灯に用いることができるので、さらなる構造の簡易化およびコストの低減をはかることができる。
【００３５】
また、上記で説明したバネ部９を複数形成してもよい。それによって、放熱面積が増加し、より放熱性を向上させることができる。
【００３６】
また、本実施形態では、器具施工用部材４０に切り起こしでバネ部９を形成しているが、器具施工用部材４０の下面または、ランプユニット３の上面に、アルミ等のバネを設けてもよい。
【００３７】
また、器具施工用部材４０の材質は、ステンレスに限定されることなく、他の材質であってもよい。
【符号の説明】
【００３８】
１    器具本体
２    表示パネル
３    ランプユニット
４    施工用部材
５    ケース
６    密閉用パッキン
６ａ  密閉片
６ｂ  放熱片
７    防水パッキン
８    天井
【図１】
2011133573.tif 000003
【図２】
2011133573.tif 000004
【図３】
2011133573.tif 000005
【図４】
2011133573.tif 000006